【手続補正書】
【提出日】平成18年11月24日(2006.11.24)
【手続補正１】
【補正対象書類名】明細書
【補正対象項目名】発明の名称
【補正方法】変更
【補正の内容】
【発明の名称】受信装置、及び受信装置の制御方法
【手続補正２】
【補正対象書類名】明細書
【補正対象項目名】特許請求の範囲
【補正方法】変更
【補正の内容】
【特許請求の範囲】
【請求項１】  複数のチャンネルを含むテレビジョン信号を受信するための受信手段と、
前記複数のチャンネルのうち、表示装置の主画面領域に表示するチャンネルと、前記表示装置の少なくとも１つの子画面領域に表示する複数のチャンネルとを決定するとともに、前記子画面領域に表示する複数のチャンネルの表示順序を決定するための決定手段と、
前記決定手段によって前記主画面領域または前記子画面領域に夫々表示するように決定された表示チャンネルを、前記主画面領域及び少なくとも１つの子画面領域に同時に表示するように前記表示装置を制御するための表示制御手段と、
前記子画面領域に表示しているチャンネルを前記決定手段で決定した表示順序に従って、第１のチャンネルから第２のチャンネルに自動的に表示を変更する制御を実行する制御手段と、を有し、
前記制御手段は、前記第１のチャンネルから前記第２のチャンネルに表示を切り換える際、前記第１のチャンネルの映像と前記第２のチャンネルの映像とを１つの子画面領域内に、所定期間同時に表示するように前記第１のチャンネルの映像と前記第２のチャンネルの映像とを合成して表示する制御を実行することを特徴とする受信装置。
【請求項２】  夫々優先度が付与された複数の番組の番組情報を格納するための格納手段をさらに有し、
前記決定手段は、前記格納手段に格納された優先度に基づいて前記表示順序を決定することを特徴とする請求項１に記載の受信装置。
【請求項３】  前記制御手段によって、所定期間同時に表示される前記第１のチャンネルの映像は静止画であり、前記第２のチャンネルの映像は動画であることを特徴とする請求項１または２に記載の受信装置。
【請求項４】  前記制御手段は、ユーザからの指示に従って、前記第１のチャンネルの映像と前記第２のチャンネルの映像との合成表示状態から、前記第１のチャンネルの映像の表示状態に表示を変更する制御を実行することを特徴とする請求項１〜３の何れか１項に記載の受信装置。
【請求項５】  前記受信手段によって受信されたテレビジョン信号に含まれる複数のチャンネルから所定の条件に合致したチャンネルを絞り込むための絞込手段をさらに有し、
前記決定手段は、前記絞込手段によって絞り込まれた複数のチャンネルから、前記主画面領域に表示する１つのチャンネルと、前記子画面領域に表示するその他のチャンネルとを決定することを特徴とする請求項１〜４の何れか１項に記載の受信装置。
【請求項６】  複数のチャンネルを含むテレビジョン信号を受信するための受信ステップと、
前記複数のチャンネルのうち、表示装置の主画面領域に表示するチャンネルと、前記表示装置の少なくとも１つの子画面領域に表示する複数のチャンネルとを決定するとともに、前記子画面領域に表示する複数のチャンネルの表示順序を決定するための決定ステップと、
前記決定ステップによって前記主画面領域または前記子画面領域に夫々表示するように決定された表示チャンネルを、前記主画面領域及び少なくとも１つの子画面領域に同時に表示するように前記表示装置を制御するための表示制御ステップと、
前記子画面領域に表示しているチャンネルを前記決定ステップで決定した表示順序に従って、第１のチャンネルから第２のチャンネルに自動的に表示を変更する制御を実行する制御ステップと、を有し、
前記制御ステップは、前記第１のチャンネルから前記第２のチャンネルに表示を切り換える際、前記第１のチャンネルの映像と前記第２のチャンネルの映像とを１つの子画面領域内に、所定期間同時に表示するように前記第１のチャンネルの映像と前記第２のチャンネルの映像とを合成して表示する制御を実行することを特徴とする受信装置の制御方法。
【請求項７】  夫々優先度が付与された複数の番組の番組情報を格納するための格納ステップをさらに有し、
前記決定ステップは、前記格納ステップに格納された優先度に基づいて前記表示順序を決定することを特徴とする請求項６に記載の受信装置の制御方法。
【請求項８】  前記制御ステップによって、所定期間同時に表示される前記第１のチャンネルの映像は静止画であり、前記第２のチャンネルの映像は動画であることを特徴とする請求項６または７に記載の受信装置の制御方法。
【請求項９】  前記制御ステップは、ユーザからの指示に従って、前記第１のチャンネルの映像と前記第２のチャンネルの映像との合成表示状態から、前記第１のチャンネルの映像の表示状態に表示を変更する制御を実行することを特徴とする請求項６〜８の何れか１項に記載の受信装置の制御方法。
【請求項１０】  前記受信ステップによって受信されたテレビジョン信号に含まれる複数のチャンネルから所定の条件に合致したチャンネルを絞り込むための絞込ステップをさらに有し、
前記決定ステップは、前記絞込ステップによって絞り込まれた複数のチャンネルから、前記主画面領域に表示する１つのチャンネルと、前記子画面領域に表示するその他のチャンネルとを決定することを特徴とする請求項６〜９の何れか１項に記載の受信装置の制御方法。
【手続補正３】
【補正対象書類名】明細書
【補正対象項目名】０００１
【補正方法】変更
【補正の内容】
【０００１】
【発明の属する技術分野】
本発明は、例えば、アナログ放送やディジタル放送を受信して、主画面と、その主画面内又は外に複数の子画面を表示するための装置或いはシステムに用いられる、受信装置、及び受信装置の制御方法に関するものである。
【手続補正４】
【補正対象書類名】明細書
【補正対象項目名】０００５
【補正方法】変更
【補正の内容】
【０００５】
そこで、本発明は、上記の欠点を除去するために成されたもので、多チャンネルの放送であっても、ユーザにとって見易く、且つ効率的に画面分割して表示でき、ユーザの番組選局等の操作性を向上できる、受信装置、及び受信装置の制御方法を提供することを目的とする。
【手続補正５】
【補正対象書類名】明細書
【補正対象項目名】０００６
【補正方法】変更
【補正の内容】
【０００６】
【課題を解決するための手段】
本発明の受信装置は、複数のチャンネルを含むテレビジョン信号を受信するための受信手段と、前記複数のチャンネルのうち、表示装置の主画面領域に表示するチャンネルと、前記表示装置の少なくとも１つの子画面領域に表示する複数のチャンネルとを決定するとともに、前記子画面領域に表示する複数のチャンネルの表示順序を決定するための決定手段と、前記決定手段によって前記主画面領域または前記子画面領域に夫々表示するように決定された表示チャンネルを、前記主画面領域及び少なくとも１つの子画面領域に同時に表示するように前記表示装置を制御するための表示制御手段と、前記子画面領域に表示しているチャンネルを前記決定手段で決定した表示順序に従って、第１のチャンネルから第２のチャンネルに自動的に表示を変更する制御を実行する制御手段と、を有し、前記制御手段は、前記第１のチャンネルから前記第２のチャンネルに表示を切り換える際、前記第１のチャンネルの映像と前記第２のチャンネルの映像とを１つの子画面領域内に、所定期間同時に表示するように前記第１のチャンネルの映像と前記第２のチャンネルの映像とを合成して表示する制御を実行することを特徴とする。
【手続補正６】
【補正対象書類名】明細書
【補正対象項目名】０００７
【補正方法】変更
【補正の内容】
【０００７】
本発明の受信装置の制御方法は、複数のチャンネルを含むテレビジョン信号を受信するための受信ステップと、前記複数のチャンネルのうち、表示装置の主画面領域に表示するチャンネルと、前記表示装置の少なくとも１つの子画面領域に表示する複数のチャンネルとを決定するとともに、前記子画面領域に表示する複数のチャンネルの表示順序を決定するための決定ステップと、前記決定ステップによって前記主画面領域または前記子画面領域に夫々表示するように決定された表示チャンネルを、前記主画面領域及び少なくとも１つの子画面領域に同時に表示するように前記表示装置を制御するための表示制御ステップと、前記子画面領域に表示しているチャンネルを前記決定ステップで決定した表示順序に従って、第１のチャンネルから第２のチャンネルに自動的に表示を変更する制御を実行する制御ステップと、を有し、前記制御ステップは、前記第１のチャンネルから前記第２のチャンネルに表示を切り換える際、前記第１のチャンネルの映像と前記第２のチャンネルの映像とを１つの子画面領域内に、所定期間同時に表示するように前記第１のチャンネルの映像と前記第２のチャンネルの映像とを合成して表示する制御を実行することを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】削除
【補正の内容】
【手続補正３２】
【補正対象書類名】明細書
【補正対象項目名】００３３
【補正方法】削除
【補正の内容】
【手続補正３３】
【補正対象書類名】明細書
【補正対象項目名】００３４
【補正方法】削除
【補正の内容】
【手続補正３４】
【補正対象書類名】明細書
【補正対象項目名】００３５
【補正方法】削除
【補正の内容】
【手続補正３５】
【補正対象書類名】明細書
【補正対象項目名】００３６
【補正方法】削除
【補正の内容】
【手続補正３６】
【補正対象書類名】明細書
【補正対象項目名】００３７
【補正方法】削除
【補正の内容】
【手続補正３７】
【補正対象書類名】明細書
【補正対象項目名】００３８
【補正方法】削除
【補正の内容】
【手続補正３８】
【補正対象書類名】明細書
【補正対象項目名】００３９
【補正方法】削除
【補正の内容】
【手続補正３９】
【補正対象書類名】明細書
【補正対象項目名】００４０
【補正方法】削除
【補正の内容】
【手続補正４０】
【補正対象書類名】明細書
【補正対象項目名】００４１
【補正方法】削除
【補正の内容】
【手続補正４１】
【補正対象書類名】明細書
【補正対象項目名】００４２
【補正方法】削除
【補正の内容】
【手続補正４２】
【補正対象書類名】明細書
【補正対象項目名】００４３
【補正方法】削除
【補正の内容】
【手続補正４３】
【補正対象書類名】明細書
【補正対象項目名】００４４
【補正方法】削除
【補正の内容】
【手続補正４４】
【補正対象書類名】明細書
【補正対象項目名】００４５
【補正方法】削除
【補正の内容】
【手続補正４５】
【補正対象書類名】明細書
【補正対象項目名】００４６
【補正方法】削除
【補正の内容】
【手続補正４６】
【補正対象書類名】明細書
【補正対象項目名】００４７
【補正方法】削除
【補正の内容】
【手続補正４７】
【補正対象書類名】明細書
【補正対象項目名】００４８
【補正方法】削除
【補正の内容】
【手続補正４８】
【補正対象書類名】明細書
【補正対象項目名】００４９
【補正方法】削除
【補正の内容】
【手続補正４９】
【補正対象書類名】明細書
【補正対象項目名】００５０
【補正方法】削除
【補正の内容】
【手続補正５０】
【補正対象書類名】明細書
【補正対象項目名】００５１
【補正方法】削除
【補正の内容】
【手続補正５１】
【補正対象書類名】明細書
【補正対象項目名】００５２
【補正方法】削除
【補正の内容】
【手続補正５２】
【補正対象書類名】明細書
【補正対象項目名】００５３
【補正方法】削除
【補正の内容】
【手続補正５３】
【補正対象書類名】明細書
【補正対象項目名】００５４
【補正方法】削除
【補正の内容】
【手続補正５４】
【補正対象書類名】明細書
【補正対象項目名】００５５
【補正方法】削除
【補正の内容】
【手続補正５５】
【補正対象書類名】明細書
【補正対象項目名】００５６
【補正方法】削除
【補正の内容】